(57)【要約】【課題】入力信号を解析するための解析ソフトを変調システムに応じて自動的に決定することができ、所望の解析結果を得ることが可能な信号処理装置および信号処理方法を提供する。【解決手段】信号解析処理において、ステップＳ１３，Ｓ１４では、入力信号の信号成分が選択されたことを条件に、選択された信号成分の、少なくとも中心周波数、信号帯域幅、および、地域情報にしたがってデータテーブルを検索し、入力信号の変調システムを推定する。次いで、ステップＳ１５，Ｓ１６，Ｓ１７では、入力信号の変調システムであると推定される変調システムを選出し、少なくとも１つの変調システムが選出されたことを条件に、変調システムとしての可能性が高いものから順に表示画面上に表示させる。次いで、ステップＳ１８では、表示された変調システムに対応する解析ソフトをリストの上位から順に切り替えて、選択された信号成分に対する解析処理を繰り返す。【選択図】図８
2015049212.tif 000002
【特許請求の範囲】
【請求項１】
被測定物からの被測定信号（Ｓ）に対して所定の信号処理を施す信号処理装置部（１０ａ）と、
前記信号処理装置部からの信号を入力して、横軸が周波数、縦軸が振幅レベルであるグラフ（α）を表示画面（３１ａ）上に表示する表示手段（３１）と、
前記グラフにおける信号成分（６１，６２）を、その変調システムに応じて解析するための複数の解析ソフトを格納する格納手段（４２）と、
前記格納手段から変調システムに対応する解析ソフトを読み出し、前記信号成分に対して所定の解析処理を施し、該解析結果を前記表示画面上に表示する制御手段（４０）と、を備え、
前記制御手段は、
被測定信号に対して、所定の処理ソフトにしたがって所定のアナライズ処理を施すことによって、前記表示手段の前記表示画面上にグラフを表示するグラフ表示制御手段（４０ａ）と、
前記グラフにおける信号成分をノイズ成分（６３）と分離して、前記表示手段の前記表示画面上に表示するための分離処理手段（４０ｂ）と、
変調システムに対応させて、被測定物に基づく各種の信号成分の、少なくとも中心周波数、信号帯域幅、および、前記中心周波数と前記信号帯域幅とから特定される被測定物の使用地域に基づいた地域情報を記憶するデータテーブル（４４）と、
信号成分に対する処理が選択されたことを条件に、選択された前記信号成分の、少なくとも中心周波数、信号帯域幅、および、地域情報にしたがって前記データテーブルを検索することによって、当該信号成分の変調システムを推定する変調システム選出手段（４０ｃ）と、
前記変調システム選出手段の推定結果に応じて選出される変調システムを、前記表示手段の前記表示画面上に表示する選出結果表示制御手段（４０ｄ）と、
前記表示画面上に変調システムが表示されたことを条件に、前記表示画面上に表示された変調システムに対応する解析ソフトを前記格納手段から読み出し、当該信号成分に対して所定の解析処理を施す解析処理手段（４０ｅ）と、
前記解析処理手段による解析結果（８１，８２）を、前記表示手段の前記表示画面上に表示する解析結果表示制御手段（４０ｆ）と、を含むことを特徴とする信号処理装置。
【請求項２】
前記分離処理手段は、しきい値メモリ（４３）に記憶されたしきい値を用いて所定のパターン認識処理を行い、前記グラフにおける前記しきい値以上の振幅レベルを信号成分として、前記しきい値以下の振幅レベルをノイズ成分として、それぞれ抽出することを特徴とする請求項１に記載の信号処理装置。
【請求項３】
前記選出結果表示制御手段は、複数の変調システムが選出された場合、選出された複数の変調システムを、変調システムである可能性が高い順に表示させることを特徴とする請求項１または２に記載の信号処理装置。
【請求項４】
前記変調システム選出手段が１つの変調システムも選出できなかった場合、
前記解析処理手段は、前記格納手段に格納されている前記複数の解析ソフトを自動的に切り替え、前記信号成分に対する所定の解析処理を繰り返すことを特徴とする請求項１〜３のいずれか一項に記載の信号処理装置。
【請求項５】
前記変調システム選出手段が１つの変調システムも選出できなかった場合、前記表示画面上に複数の変調システムの全リストを一覧表示させることにより、
前記解析処理手段は、複数の変調システムの１つが選択されたことを条件に前記格納手段から対応する解析ソフトを読み出し、前記被測定信号に対して所定の解析処理を施すことを特徴とする請求項１〜４のいずれか一項に記載の信号処理装置。
【請求項６】
前記解析処理手段は、解析処理のためのパラメータとして、前記被測定信号の、少なくとも中心周波数、信号帯域幅、および、電力値を自動的に設定することを特徴とする請求項１〜５のいずれか一項に記載の信号処理装置。
【請求項７】
前記表示手段は、前記表示画面に対応して設けられ、タッチ操作に伴う位置情報を出力するタッチセンサ（３２ａ）を有するタッチパネル（３２）を、さらに備えることを特徴とする請求項１〜６のいずれか一項に記載の信号処理装置。
【請求項８】
信号処理装置部（１０ａ）により、被測定物からの被測定信号（Ｓ）に対して所定の信号処理を施すことと、
表示手段（３１）により、前記信号処理装置部からの信号を入力して、横軸が周波数、縦軸が振幅レベルであるグラフ（α）を表示画面（３１ａ）上に表示することと、
格納手段（４２）により、前記グラフにおける信号成分（６１，６２）を、その変調システムに応じて解析するための複数の解析ソフトを格納することと、
制御手段（４０）により、前記格納手段から変調システムに対応する解析ソフトを読み出し、前記信号成分に対して所定の解析処理を施し、該解析結果を前記表示画面上に表示することと、を備え、
前記制御手段は、
グラフ表示制御手段（４０ａ）により、被測定信号に対して、所定の処理ソフトにしたがって所定のアナライズ処理を施すことによって、前記表示手段の前記表示画面上にグラフを表示するステップ（Ｓ１１）と、
分離処理手段（４０ｂ）により、前記グラフにおける信号成分をノイズ成分（６３）と分離して、前記表示手段の前記表示画面上に表示するためのステップ（Ｓ１２）と、
データテーブル（４４）により、変調システムに対応させて、被測定物に基づく各種の信号成分の、少なくとも中心周波数、信号帯域幅、および、前記中心周波数と前記信号帯域幅とから特定される前記被測定物の使用地域に基づいた地域情報を記憶しておき、
変調システム選出手段（４０ｃ）により、信号成分に対する処理が選択されたことを条件に、選択された前記信号成分の、少なくとも中心周波数、信号帯域幅、および、地域情報にしたがって前記データテーブルを検索することによって、当該信号成分の変調システムを推定するステップ（Ｓ１３，Ｓ１４）と、
選出結果表示制御手段（４０ｄ）により、前記変調システム選出手段の推定結果に応じて選出される変調システムを、前記表示手段の前記表示画面上に表示するステップ（Ｓ１５，Ｓ１６，Ｓ１７）と、
解析処理手段（４０ｅ）により、前記表示画面上に変調システムが表示されたことを条件に、前記表示画面上に表示された変調システムに対応する解析ソフトを前記格納手段から読み出し、当該信号成分に対して所定の解析処理を施すステップ（Ｓ１８）と、
解析結果表示制御手段（４０ｆ）により、前記解析処理手段による解析結果（８１，８２）を、前記表示手段の前記表示画面上に表示するステップ（Ｓ２０）と、を含むことを特徴とする信号処理方法。
【請求項９】
前記変調システム選出手段が１つの変調システムも選出できなかった場合、
前記解析処理手段により、前記格納手段に格納されている前記複数の解析ソフトを自動的に切り替え、前記信号成分に対する所定の解析処理を繰り返すステップ（Ｓ２１，Ｓ２２）を、さらに含むことを特徴とする請求項８に記載の信号処理方法。
【発明の詳細な説明】
【技術分野】
【０００１】
本発明は、スペクトラムアナライザなどの信号解析装置に適用される信号処理装置および信号処理方法に関する。
【背景技術】
【０００２】
従来、信号を解析などするための信号処理装置としては、例えば、特許文献１に記載の変調信号解析装置が知られている。
【０００３】
特許文献１に記載の変調信号解析装置は、入力された変調信号に対して、指定された１つまたは複数の解析項目の解析を行うとともに、解析結果に異常が生じた場合には、その異常原因を究明するように構成されている。
【０００４】
すなわち、操作者が、例えば、この変調信号解析装置の信号解析部で解析可能な測定項目のうちの１つまたは複数の測定項目を解析項目として指定すると、信号解析部において、各解析項目に対する解析を実施する。そして、異常判定部で解析項目に対する解析結果の正常異常判定を実施し、その判定結果が異常である場合に、異常原因究明部で異常原因の究明を行う。
【先行技術文献】
【特許文献】
【０００５】
【特許文献１】特許第４２６８６０８号（特開２００７−１０４２９４号）公報
【発明の概要】
【発明が解決しようとする課題】
【０００６】
しかしながら、上記の特許文献１に記載された技術は、解析項目として指定する１つまたは複数の測定項目の内容を、操作者が十分に理解していなければならず、操作者による測定項目の指定に際し、誤った指定を行うと、解析項目に対して所望の解析結果を得ることができない、という問題があった。
【０００７】
本発明は、上述のような課題に鑑みてなされたものであり、被測定信号を解析するための解析ソフトを変調システムに応じて自動的に決定することができ、所望の解析結果を得ることが可能な信号処理装置および信号処理方法を提供することを目的とする。
【課題を解決するための手段】
【０００８】
本発明の請求項１に係る信号処理装置（信号解析装置１０）は、被測定物からの被測定信号（入力信号Ｓ）に対して所定の信号処理を施す信号処理装置部（１０ａ）と、前記信号処理装置部からの信号を入力して、横軸が周波数、縦軸が振幅レベルであるグラフ（α）を表示画面（信号表示部３１ａ）上に表示する表示手段（表示パネル３１）と、前記グラフにおける信号成分（６１，６２）を、その変調システム（通信方式）に応じて解析するための複数の解析ソフト（変調システム解析ソフトウェア）を格納する格納手段（ＲＯＭ４２）と、前記格納手段から変調システムに対応する解析ソフトを読み出し、前記信号成分に対して所定の解析処理を施し、該解析結果を前記表示画面上に表示する制御手段（制御装置４０）と、を備え、前記制御手段は、被測定信号に対して、所定の処理ソフトにしたがって所定のアナライズ処理を施すことによって、前記表示手段の前記表示画面上にグラフを表示するグラフ表示制御手段（スペクトラム表示制御部４０ａ）と、前記グラフにおける信号成分をノイズ成分（６３）と分離して、前記表示手段の前記表示画面上に表示するための分離処理手段（パターン認識処理部４０ｂ）と、変調システムに対応させて、被測定物に基づく各種の信号成分の、少なくとも中心周波数、信号帯域幅、および、前記中心周波数と前記信号帯域幅とから特定される被測定物の使用地域に基づいた地域情報を記憶するデータテーブル（地域情報データテーブル４４）と、信号成分に対する処理が選択されたことを条件に、選択された前記信号成分の、少なくとも中心周波数、信号帯域幅、および、地域情報にしたがって前記データテーブルを検索することによって、当該信号成分の変調システムを推定する変調システム選出手段（変調システム選出部４０ｃ）と、前記変調システム選出手段の推定結果に応じて選出される変調システムを、前記表示手段の前記表示画面上に表示する選出結果表示制御手段（リスト表示制御部４０ｄ）と、前記表示画面上に変調システムが表示されたことを条件に、前記表示画面上に表示された変調システムに対応する解析ソフトを前記格納手段から読み出し、当該信号成分に対して所定の解析処理を施す解析処理手段（解析処理部４０ｅ）と、前記解析処理手段による解析結果（８１，８２）を、前記表示手段の前記表示画面上に表示する解析結果表示制御手段（処理結果表示制御部４０ｆ）と、を含む構成を有している。
【０００９】
この構成により、本発明の請求項１に係る信号処理装置は、被測定信号に対する解析処理を行うための解析ソフトを、処理の対象となる信号成分が選択されることに応じて自動的に特定できるようにしているので、信号成分の変調システムに対応する解析ソフトとして当該解析処理に最適な解析ソフトをより確実に選択できるようになる。したがって、本発明の請求項１に係る信号処理装置は、ユーザの経験値などによらず、常に被測定信号の変調システムに対応した解析ソフトによる解析処理を実現することが可能となるものである。
【００１０】
本発明の請求項２に係る信号処理装置において、前記分離処理手段は、しきい値メモリ（４３）に記憶されたしきい値を用いて所定のパターン認識処理を行い、前記グラフにおける前記しきい値以上の振幅レベル（電力分布）を信号成分として、前記しきい値以下の振幅レベルをノイズ成分として、それぞれ抽出する構成を有している。
【００１１】
この構成により、本発明の請求項２に係る信号処理装置は、しきい値を用いた所定のパターン認識処理によって信号成分とノイズ成分とを分離させるので、信号成分のみを容易に選択することができる。
【００１２】
本発明の請求項３に係る信号処理装置において、前記選出結果表示制御手段は、複数の変調システムが選出された場合、選出された複数の変調システムを、変調システムである可能性が高い順に表示させる構成を有している。
【００１３】
この構成により、本発明の請求項３に係る信号処理装置は、選出した複数の解析ソフトを、変調システムである可能性が高いものから順にリスト表示できるので、変調システムに適した解析ソフトによる解析処理を即座に実施することが可能になる。
【００１４】
本発明の請求項４に係る信号処理装置において、前記変調システム選出手段が１つの変調システムも選出できなかった場合、前記解析処理手段は、前記格納手段に格納されている前記複数の解析ソフトを自動的に切り替え、前記信号成分に対する所定の解析処理を繰り返す構成を有している。
【００１５】
この構成により、本発明の請求項４に係る信号処理装置は、変調システムを特定できない場合にも、複数の解析ソフトを自動的に切り替えながら解析処理を実施するようにしているので、最終的には、被測定信号の変調システムに対応した解析ソフトにより所望の解析結果を得ることができる。
【００１６】
本発明の請求項５に係る信号処理装置において、前記変調システム選出手段が１つの変調システムも選出できなかった場合、前記表示画面上に複数の変調システムの全リストを一覧表示させることにより、前記解析処理手段は、複数の変調システムの１つが選択されたことを条件に前記格納手段から対応する解析ソフトを読み出し、前記被測定信号に対して所定の解析処理を施す構成を有している。
【００１７】
この構成により、本発明の請求項５に係る信号処理装置は、変調システムを特定できない場合にも、ユーザの選択に基づいて、最終的には、被測定信号の変調システムに対応した解析ソフトにより所望の解析結果を得ることが可能となる。
【００１８】
本発明の請求項６に係る信号処理装置において、前記解析処理手段は、解析処理のためのパラメータとして、前記被測定信号の、少なくとも中心周波数、信号帯域幅、および、電力値を自動的に設定する構成を有している。
【００１９】
この構成により、本発明の請求項６に係る信号処理装置は、解析処理のためのパラメータを自動的に設定できるので、パラメータを手動により設定する場合の負荷や誤入力を解消できる。
【００２０】
本発明の請求項７に係る信号処理装置において、前記表示手段は、前記表示画面に対応して設けられ、タッチ操作に伴う位置情報を出力するタッチセンサ（３２ａ）を有するタッチパネル（３２）を、さらに備える構成を有している。
【００２１】
この構成により、本発明の請求項７に係る信号処理装置は、信号成分や変調システムを表示画面のタッチ操作によって選択できるため、ユーザの直感的な操作が可能となる。
【００２２】
本発明の請求項８に係る信号処理方法は、信号処理装置部（１０ａ）により、被測定物からの被測定信号（入力信号Ｓ）に対して所定の信号処理を施すことと、表示手段（表示パネル３１）により、前記信号処理装置部からの信号を入力して、横軸が周波数、縦軸が振幅レベルであるグラフ（α）を表示画面（信号表示部３１ａ）上に表示することと、格納手段（ＲＯＭ４２）により、前記グラフにおける信号成分（６１，６２）を、その変調システム（通信方式）に応じて解析するための複数の解析ソフト（変調システム解析ソフトウェア）を格納することと、制御手段（制御装置４０）により、前記格納手段から変調システムに対応する解析ソフトを読み出し、前記信号成分に対して所定の解析処理を施し、該解析結果を前記表示画面上に表示することと、を備え、前記制御手段は、グラフ表示制御手段（スペクトラム表示制御部４０ａ）により、被測定信号に対して、所定の処理ソフトにしたがって所定のアナライズ処理を施すことによって、前記表示手段の前記表示画面上にグラフを表示するステップ（Ｓ１１）と、分離処理手段（パターン認識処理部４０ｂ）により、前記グラフにおける信号成分をノイズ成分（６３）と分離して、前記表示手段の前記表示画面上に表示するためのステップ（Ｓ１２）と、データテーブル（地域情報データテーブル４４）により、変調システムに対応させて、被測定物に基づく各種の信号成分の、少なくとも中心周波数、信号帯域幅、および、前記中心周波数と前記信号帯域幅とから特定される前記被測定物の使用地域に基づいた地域情報を記憶しておき、変調システム選出手段（変調システム選出部４０ｃ）により、信号成分に対する処理が選択されたことを条件に、選択された前記信号成分の、少なくとも中心周波数、信号帯域幅、および、地域情報にしたがって前記データテーブルを検索することによって、当該信号成分の変調システムを推定するステップ（Ｓ１３，Ｓ１４）と、選出結果表示制御手段（リスト表示制御部４０ｄ）により、前記変調システム選出手段の推定結果に応じて選出される変調システムを、前記表示手段の前記表示画面上に表示するステップ（Ｓ１５，Ｓ１６，Ｓ１７）と、解析処理手段（解析処理部４０ｅ）により、前記表示画面上に変調システムが表示されたことを条件に、前記表示画面上に表示された変調システムに対応する解析ソフトを前記格納手段から読み出し、当該信号成分に対して所定の解析処理を施すステップ（Ｓ１８）と、解析結果表示制御手段（処理結果表示制御部４０ｆ）により、前記解析処理手段による解析結果（８１，８２）を、前記表示手段の前記表示画面上に表示するステップ（Ｓ２０）と、を含む構成となっている。
【００２３】
この構成により、本発明の請求項８に係る信号処理方法は、被測定信号に対する解析処理を行うための解析ソフトを、処理の対象となる信号成分が選択されることに応じて自動的に特定できるようにしているので、信号成分の変調システムに対応する解析ソフトとして当該解析処理に最適な解析ソフトをより確実に選択できるようになる。したがって、本発明の請求項８に係る信号処理方法は、ユーザの経験値などによらず、常に被測定信号の変調システムに対応した解析ソフトによる解析処理を実現することが可能となるものである。
【００２４】
本発明の請求項９に係る信号処理方法は、前記変調システム選出手段が１つの変調システムも選出できなかった場合、前記解析処理手段により、前記格納手段に格納されている前記複数の解析ソフトを自動的に切り替え、前記信号成分に対する所定の解析処理を繰り返すステップ（Ｓ２１，Ｓ２２）を、さらに含む構成を有している。
【００２５】
この構成により、本発明の請求項９に係る信号処理方法は、変調システムを特定できない場合にも、複数の解析ソフトを自動的に切り替えながら解析処理を実施するようにしているので、最終的には、被測定信号の変調システムに対応した解析ソフトにより所望の解析結果を得ることができる。
【発明の効果】
【００２６】
本発明は、被測定信号を解析するための解析ソフトを変調システムに応じて自動的に決定することができ、所望の解析結果を得ることが可能な信号処理装置および信号処理方法を提供することができるものである。
【図面の簡単な説明】
【００２７】
【図１】本発明の実施の形態に係る信号解析装置の構成を示す機能ブロック図である。
【図２】本発明の実施の形態に係る信号解析装置におけるパターン認識処理画面の表示例を示す図である。
【図３】本発明の実施の形態に係る信号解析装置におけるＬＴＥに関する地域情報のデータテーブルを示す図である。
【図４】本発明の実施の形態に係る信号解析装置におけるＷＣＤＭＡ（登録商標）に関する地域情報のデータテーブルを示す図である。
【図５】本発明の実施の形態に係る信号解析装置におけるＧＳＭ（登録商標）に関する地域情報のデータテーブルを示す図である。
【図６】本発明の実施の形態に係る信号解析装置におけるＩＥＥＥ８０２．１１に関する地域情報のデータテーブルを示す図である。
【図７】本発明の実施の形態に係る信号解析装置におけるＵＨＦテレビ放送に関する地域情報のデータテーブルを示す図である。
【図８】本発明の実施の形態に係る信号解析装置の信号解析処理の流れを説明するために示すフローチャートである。
【図９】本発明の実施の形態に係る信号解析装置におけるリスト表示画面の表示例を示す図である。
【図１０】本発明の実施の形態に係る信号解析装置における解析処理画面の表示例を示す図である。
【図１１】本発明の実施の形態に係る信号解析装置におけるリスト表示画面の表示例を示す図である。
【図１２】本発明の実施の形態に係る信号解析装置における解析処理画面の表示例を示す図である。
【発明を実施するための形態】
【００２８】
以下、本発明の信号処理装置および信号処理方法に係る実施の形態について、図面を参照して説明する。
【００２９】
まず、図１を参照して信号処理装置の構成例を説明する。なお、本実施の形態では、スペクトラムアナライザなどの信号解析装置１０に適用した場合を説明する。
【００３０】
本実施の形態のスペクトラムアナライザは、例えば、携帯電話や基地局などの検査対象物（Device Under Test；ＤＵＴ）の設計時に作成したテストパターンを基に被測定信号である入力信号を入力し、その出力信号を期待値と比較するなどに用いられるもので、入力信号から所定の処理ソフト（スペクトラムアナライズソフトウェア）に基づいて所望の周波数スペクトラム波形となるグラフを生成するとともに、該周波数スペクトラム波形のパターン認識処理を行って信号成分を分離させた後、該信号成分の中心周波数、信号帯域幅、入力電力値などをパラメータとし、変調システム（通信方式）に応じて特定される解析ソフト（変調システム解析ソフトウェア）による解析処理を行って、被測定信号の劣化の割合や規格値とのマッチングの程度などを測定するものである。
【００３１】
図１に示すように、信号解析装置１０は、信号処理装置部１０ａとしての、ＡＴＴ（アッテネータ；減衰器）１１、局部発振器（local oscillator；ＬＯ）１２、周波数混合器（ＭＩＸ）１３、増幅器１４、ＩＦ（intermediate frequency；中間周波）フィルタ１５、ＩＦ増幅器１６、検波器１７、ビデオ・フィルタ（Video Band Width；ＶＢＷ）１８、増幅器１９、ＡＤＣ（アナログ・デジタル・コンバータ）２０、掃引部２１、および、ＡＤＣ２２を含み、さらに表示装置３０、制御装置（制御手段）４０を備えている。
【００３２】
また、制御装置４０には、ＲＡＭ（ランダム・アクセス・メモリ）４１、格納手段としてのＲＯＭ（リード・オンリ・メモリ）４２、しきい値メモリ４３、地域情報データテーブル４４、および、操作部５０が接続されている。
【００３３】
ＡＴＴ１１は、内部に抵抗を有し、高周波の被測定信号としての入力信号Ｓを信号分析可能な、測定に影響を与えない最適なミキサ入力レベル（例えば、デシベル）に減衰させるためのもので、インピーダンスを変化させない電子部品である。
【００３４】
局部発振器１２は、ローカル信号として、元の入力信号Ｓの周波数の値から、変換先の周波数の値の分だけ高い周波数あるいは低い周波数の正弦波を発生させるものである。局部発振器１２から発振されるローカル信号は、掃引部２１から出力される掃引ランプ信号により所定の周波数範囲にわたって掃引される。
【００３５】
周波数混合器１３は、ヘテロダイン式のスペクトラムアナライザの特徴的な構成要素であり、ＡＴＴ１１で減衰された入力信号Ｓと局部発振器１２から発振されたローカル信号とを混合し、２つの信号の差の周波数成分を含む出力信号を生成するものである。この周波数混合器１３からは、掃引動作に同期して変化する中間周波数を含む周波数信号である中間周波数信号を出力する。
【００３６】
したがって、測定の対象とする周波数（ＡＴＴ１１で減衰された入力信号Ｓの周波数）に合わせて、局部発振器１２の発振周波数を調整する（測定の対象とする周波数から予め決めた分だけ離れた周波数に設定する)ことにより、測定の対象とする周波数の近傍のスペクトラムを予め決めた固定の周波数（中間周波数；ＩＦ）の近傍にコピーしたような信号を得ることができる。
【００３７】
増幅器１４は、周波数混合器１３からの中間周波数信号を増幅してＩＦフィルタ１５に出力するものである。
【００３８】
ＩＦフィルタ１５は、本実施の形態の場合、アナログのバンドパス・フィルタなどで構成されるＲＢＷ（Resolution Band Width）フィルタおよび対数増幅器（ログアンプ）により構成されている。
【００３９】
周波数混合器１３からの出力には、測定の対象とする周波数の近傍のスペクトラムに対応する信号成分が中間周波数を中心として現れるので、ＩＦフィルタ１５は、ＲＢＷフィルタのような中心周波数が固定の帯域通過フィルタを通すことで、その周波数の近傍の所定の測定周波数範囲の信号成分を取り出すことができる。
【００４０】
測定周波数範囲は、ＩＦフィルタ１５の中心周波数と局部発振器１２から発振されるローカル信号の周波数範囲とによって決定される。
【００４１】
ＩＦフィルタ１５は、周波数混合器１３によって入力信号Ｓとローカル信号とを混合させた中間周波数信号がＩＦフィルタ１５の中心周波数の所定の範囲内であるときに、増幅器１４で増幅された中間周波数信号を出力する。
【００４２】
対数増幅器（ログアンプ）は、入力信号Ｓの対数に対応する増幅信号を出力する増幅器であり、この増幅器を備えるＩＦフィルタ１５によれば、入力信号Ｓを対数圧縮した大きなダイナミック・レンジの信号として一括して扱うことができ、リニアな表示デバイスを用いてデシベルに対応した表示を行うことが可能になる。
【００４３】
本実施の形態においては、周波数混合器１３から出力される中間周波数信号が掃引動作に同期して変化するので、ＩＦフィルタ１５は、１掃引時間（掃引期間）内において、時間経過とともに中間周波数信号に変換された入力信号Ｓの各周波数成分における時系列波形である信号を抽出する。
【００４４】
ＩＦ増幅器１６は、設定される利得に応じてＩＦフィルタ１５より出力される信号の振幅レベルを制御するもので、利得を変化させることによって、表示装置３０の表示手段としての表示パネル３１における信号表示部（表示画面）３１ａにおいて、グラフ化されて表示される信号（周波数スペクトラム波形）の振幅レベルを変化させることができる。
【００４５】
検波器１７は、ＩＦフィルタ１５で抽出されて、ＩＦ増幅器１６で振幅レベルが変化された信号を直流に変換する構成要素であり、スペクトラムアナライザでは、主として包絡線検波が用いられる。検波器１７では、ＩＦ増幅器１６から出力されたアナログの周波数スペクトラム波形における各時間軸位置のピーク値を検出し、包絡線検波された状態の最終的な周波数スペクトラム波形を得る。
【００４６】
すなわち、掃引期間内において検波された信号は、掃引された周波数における時系列波形の大きさを示す。したがって、表示パネル３１における信号表示部３１ａにおいて、横軸を周波数、縦軸を振幅レベル（デシベル）とすれば、表示されるグラフは周波数スペクトラム波形となる。
【００４７】
ビデオ・フィルタ１８は、ビデオ帯域幅（ＶＢＷ）フィルタであり、検波器１７によって検波された信号の、信号のスペクトラムに対してではなく、つまりは、検波された信号の時間変動に対するフィルタとして機能し、入力信号Ｓの周波数ごとの強度を求め、周波数スペクトラム波形を表示するための映像信号を出力する。
【００４８】
増幅器１９は、ビデオ・フィルタ１８より入力される映像信号を増幅した後、ＡＤＣ２０に出力する。
【００４９】
ＡＤＣ２０は、増幅器１９からの増幅された映像信号をデジタルデータに変換し、例えば、表示装置３０での周波数スペクトラム波形のグラフ表示を制御するための制御装置４０に出力する。
【００５０】
掃引部２１は、局部発振器１２から発振されるローカル信号を所定の周波数範囲にわたって掃引させるための掃引ランプ信号を生成するもので、掃引ランプ信号の生成を、設定される掃引時間に応じて制御するものである。
【００５１】
ＡＤＣ２２は、掃引部２１において生成される掃引ランプ信号をデジタルデータに変換し、制御装置４０に出力する。
【００５２】
これにより、制御装置４０では、ＡＤＣ２２からのデジタルデータを基準として、掃引部２１において掃引ランプ信号を生成するための掃引期間などを制御する。
【００５３】
表示装置３０は、表示パネル３１とタッチパネル３２とを備えている。表示パネル３１は、例えば、制御装置４０からの映像信号を表示する信号表示部３１ａと、所定の画像を表示する画像表示部３１ｂと、を備えている。タッチパネル３２は、信号表示部３１ａおよび画像表示部３１ｂに対応して設けられ、ユーザ（信号解析装置１０の操作者）によるタッチ操作を検知するタッチセンサ３２ａを備えている。
【００５４】
本実施の形態において、表示装置３０は、例えば、液晶ディスプレイ（Liquid Crystal Display）やＥＬディスプレイ（Electroluminescence Display）などの、フラットパネル・ディスプレイを用いて構成される。
【００５５】
また、タッチパネル３２としては、例えば、人体の一部（指先など）や静電ペンなどの接触を検知して、その検知信号を制御装置４０に出力する静電容量方式のものであってもよい。または、ペン先などの堅い物質の接触を検知して、その検知信号を制御装置４０に出力する方式のものや、その他の方式（例えば、ＬＣＤパネル内にタッチパネルを内蔵するイン・セル型やオン・セル型の構造）のものであってもよい。
【００５６】
この表示装置３０において、表示パネル３１の信号表示部３１ａには、制御装置４０からの映像信号を入力することによって、後述するスペクトラムアナライズソフトウェア（以下、単にアナライズソフトと記す）による所定のアナライズ処理の結果として、入力信号Ｓの周波数軸上の強度を周波数ドメイン（横軸を周波数、縦軸を振幅レベル）とする、周波数スペクトラム波形のグラフが表示される（測定の一過程）。
【００５７】
なお、本実施の形態にあっては、さらに、測定の一過程として、信号表示部３１ａにおいて、後述するパターン認識処理によって、信号成分６１，６２がノイズ成分６３と分離されたグラフαが表示される（例えば、図２参照）。本実施の形態の場合、後述するしきい値データを用いた所定のパターン認識処理によって信号成分６１，６２とノイズ成分６３とを分離させるので、信号成分６１，６２のみを容易に選択できるようになる。
【００５８】
さらに、信号表示部３１ａには、測定の一過程として、選択された信号成分６１，６２に対する解析処理のための各処理パラメータ（少なくとも、中心周波数、信号帯域幅、および、入力電力値）や、後述する変調システム解析ソフトウェア（以下、単に解析ソフトと記す）の変調システムが、リスト７１，７２として表示されるようになっている（例えば、図９または図１１参照）。
【００５９】
なお、解析処理の対象として選択された信号成分６１を解析するための解析ソフトにおいて、複数の解析ソフトが変調システム（通信方式）の異なる候補として選出される場合、変調システムは、図９に示すリスト７１のように、変調システムとしての可能性の高いものから順に表示される。これにより、変調システムに適した解析ソフトによる解析処理を即座に実施することが可能になる。
【００６０】
なお、リスト７１，７２を表示させるための方法については、後述する。
【００６１】
さらに、信号表示部３１ａには、測定の一（最終）過程として、解析処理の対象である信号成分６１，６２の変調システムに対応する解析ソフトによって、例えば自動的に所定の解析処理が行われた際の解析結果８１，８２が表示される（例えば、図１０または図１２参照）。
【００６２】
このように、入力信号Ｓに対する解析処理を行うための解析ソフトの変調システムを、信号成分６１，６２が選択されることに応じて自動的にリストアップできるようにしているので、選択された信号成分６１，６２の変調システムに対応する解析ソフトをより確実に選択できるようになる。したがって、ユーザの経験値などによらず、常に入力信号Ｓの変調システムに適した解析ソフトによる解析処理を実現することが可能となる。
【００６３】
表示パネル３１の画像表示部３１ｂには、例えば、設定値などを入力するためのキーボードなどが表示される。
【００６４】
タッチパネル３２は、信号表示部３１ａに表示されるグラフや画像表示部３１ｂに表示されるキーボードなどに対応する位置情報を、検知信号として制御装置４０に出力するものである。
【００６５】
なお、タッチパネル３２から出力される位置情報は、タッチパネル３２に設けられるタッチセンサ３２ａが、例えばマトリックス状に配設されたものであれば、タッチ位置の行方向の番地と列方向の番地との組み合わせからなる、数ビットのデジタルデータである。
【００６６】
本実施の形態においては、例えば、表示されているグラフαの所定の位置をタッチすることによって、解析処理の対象となる信号成分６１，６２の選択が行われる（例えば、図２参照）。これにより、解析処理の対象となる信号成分６１，６２の選択時には、表示画面のタッチ操作のみによる、ユーザの直感的な操作が可能となる。
【００６７】
ＲＡＭ４１は、制御装置４０の制御動作のための作業エリアとして使用され、または、例えば一時的に記憶手段としても使用されるものである。
【００６８】
ＲＯＭ４２は、入力信号Ｓに所定の信号処理を施すためのプログラムを記憶するとともに、該プログラムの実行に伴って起動が制御される、アナライズソフトやパターン認識処理ソフトウェア（以下、単にパターン認識ソフトと記す）、および、複数の解析ソフトなどを格納している。
【００６９】
アナライズソフトは、信号解析装置１０の各構成要素（１１〜２２，３０，４０など）を動作させることによって、表示画面において、測定の対象となる入力信号Ｓを周波数と入力電力値（振幅レベル）とのスペクトラムとして、グラフにより表示させるようにするためのアプリケーションである。
【００７０】
パターン認識ソフトは、信号解析装置１０の各構成要素（１１〜２２，３０，４０）などを動作させることによって、入力信号Ｓのスペクトラム（グラフ）に対して所定のパターン認識処理を行うためのアプリケーションであって、後述するしきい値データ以上の電力分布を信号成分６１，６２として抽出し、それ以外（つまり、しきい値データ以下の電力分布）をノイズ成分６３として分離するものである（例えば、図２参照）。
【００７１】
このパターン認識処理において用いられるしきい値データは、しきい値メモリ４３に格納されている。
【００７２】
解析ソフト（群）は、信号解析装置１０の各構成要素（１１〜２２，３０，４０など）を動作させることによって、入力信号Ｓのスペクトラム（グラフαの信号成分６１，６２）に対して所定の解析処理を施すためのアプリケーションであって、入力信号Ｓのスペクトラムより選択された信号成分６１，６２の、少なくとも中心周波数、信号帯域幅、および、中心周波数と信号帯域幅とから特定される被測定物（図示していない）の使用地域に基づいた地域情報から決定される通信方式（変調システム）ごとに複数用意されている。
【００７３】
地域情報データテーブル４４は、上記した所定の解析処理を行う際に適用する解析ソフトを決定するための地域情報をデータテーブルとして格納するものである。この地域情報データテーブル４４に格納された地域情報の詳細については、後述する。
【００７４】
なお、本実施の形態において、ＲＯＭ４２に記憶されたプログラムは、後述するように、制御装置４０における各種の機能ブロック（４０ａ〜４０ｆ）によって実行される、図８のフローチャートに示す一連の処理の内容と一致されている。
【００７５】
操作部５０は、例えば、信号解析装置１０を操作するためのもので、電源の投入時や測定の開始時などに、ユーザによって操作されるものである。操作部５０は、ユーザの操作に応じて、例えば、信号表示部３１ａに表示された信号成分６１，６２を選択する際に用いることもできる。
【００７６】
図２は、信号表示部３１ａにおけるグラフαの具体的な表示例を示すものである。
【００７７】
グラフαは、アナライズソフト（所定の処理ソフト）によって入力信号Ｓに所定のアナライズ処理を施すことにより得られる周波数スペクトラム波形のグラフに対して、しきい値メモリ４３に格納されたしきい値データを用いて所定のパターン認識処理を行った結果（パターン認識処理画面）であり、信号成分６１，６２がノイズ成分６３と明確に分離されている。
【００７８】
信号表示部３１ａにおいて、グラフαは、タッチパネル３２と連繋されており、例えば、信号成分６１に対応してタッチパネル３２がタッチされることによって信号成分６１を選択するための位置情報が、また、信号成分６２に対応してタッチパネル３２がタッチされることによって信号成分６２を選択するための位置情報が、タッチパネル３２から制御装置４０に出力される。
【００７９】
次に、図３〜図７を参照して、地域情報データテーブル４４に格納された地域情報（１）〜（５）のデータテーブルについて説明する。
【００８０】
図３に示すように、地域情報（１）のデータテーブルは、変調システムをＬＴＥ（Long Term Evolution）とした場合の例である。地域情報（１）のデータテーブルとしては、少なくとも周波数帯（中心周波数）、信号帯域幅、使用地域、および、キャリアアグリゲーション（複数帯域制御）などを対応付けて記憶している。
【００８１】
なお、図３に示す地域情報（１）のデータテーブルにおいて、バンド１〜は変調システムがＬＴＥ−ＦＤＤ（Frequency Division Duplex；周波数分割複信なＬＴＥ）であり、バンド３３〜は変調システムがＬＴＥ−ＴＤＤ（Time Division Duplex；時分割複信なＬＴＥ）となっている。
【００８２】
図４に示すように、地域情報（２）のデータテーブルは、変調システムをＷＣＤＭＡ（登録商標）（Wideband Code Division Multiple Access）とした場合の例である。地域情報（２）のデータテーブルとしては、少なくとも周波数帯（中心周波数）、信号帯域幅、および、使用地域などを対応付けて記憶している。
【００８３】
図５に示すように、地域情報（３）のデータテーブルは、変調システムをＧＳＭ（登録商標）（Global System for Mobile Communications）とした場合の例である。地域情報（３）のデータテーブルとしては、少なくとも周波数帯（中心周波数）、信号帯域幅、および、使用地域などを対応付けて記憶している。
【００８４】
図６に示すように、地域情報（４）のデータテーブルは、変調システムをＩＥＥＥ８０２．１１規格とした場合の例である。なお、ここでは、日本（使用地域）におけるＩＥＥＥ８０２．１１規格についてのみ例示している。地域情報（４）のデータテーブルとしては、少なくとも周波数帯（中心周波数）、チャンネル幅、および、使用地域などを対応付けて記憶している。
【００８５】
図７に示すように、地域情報（５）のデータテーブルは、変調システムをテレビのＵＨＦとした場合の例である。なお、ここでは、日本（使用地域）におけるテレビ周波数チャンネルの一例としてのＵＨＦテレビ放送の場合を例示している。地域情報（５）のデータテーブルとしては、少なくとも中心周波数、周波数範囲、および、使用地域を対応付けて記憶している。
【００８６】
本実施の形態においては、選択された信号成分６１，６２の中心周波数、信号帯域幅、使用地域、または入力信号Ｓの入力電力値などに基づいて推定される、地域情報（１）〜（５）のデータテーブルに対応する変調システムが選出されるようになっている。
【００８７】
次に、各種の機能ブロックを備える制御装置４０について説明する。
【００８８】
制御装置４０は、ＣＰＵ（Central Processing Unit）あるいはマイクロプロセッサにより構成される。制御装置４０は、タッチパネル３２からの複数ビットの位置情報を入力し、それを図示しないシフトレジスタに一時的に格納するようになっている。
【００８９】
図１に示すように、制御装置４０は、ＲＯＭ４２に格納されているプログラムを読み込むことにより、適宜、所定の動作を行う、スペクトラム表示制御部（グラフ表示制御手段）４０ａ、パターン認識処理部（分離処理手段）４０ｂ、変調システム選出部（変調システム選出手段）４０ｃ、リスト表示制御部（選出結果表示制御手段）４０ｄ、解析処理部（解析処理手段）４０ｅ、および、処理結果表示制御部（解析結果表示制御手段）４０ｆの、６つの機能ブロックを備える。
【００９０】
まず、制御装置４０は、ＲＯＭ４２より読み込まれたプログラムを実行することにより、スペクトラム表示制御部４０ａを動作させる。この動作は、図８に示す制御装置４０の動作フローのステップＳ１１に該当する。
【００９１】
スペクトラム表示制御部４０ａは、所定のアナライズソフト（所定の処理ソフト）を起動して、入力信号Ｓに対する所定のアナライズ処理を実行するようになっている。スペクトラム表示制御部４０ａは、また、所定のアナライズ処理が施された入力信号Ｓの周波数と入力電力値（振幅レベル）とのスペクトラムを表示装置３０に出力し、表示パネル３１の信号表示部３１ａに周波数スペクトラム波形のグラフを表示させる制御を行うようになっている。
【００９２】
パターン認識処理部４０ｂは、所定のパターン認識ソフトを起動して、信号表示部３１ａで表示されているグラフについて、しきい値メモリ４３に格納されているしきい値データを用いて所定のパターン認識処理を行うようになっている。また、パターン認識処理部４０ｂは、図２に示したように、しきい値データ以上の電力分布を信号成分６１，６２として抽出し、それ以外をノイズ成分６３とするグラフαを、信号表示部３１ａに表示させる制御を行うようになっている。
【００９３】
すなわち、制御装置４０は、スペクトラム表示制御部４０ａが周波数スペクトラム波形のグラフを表示させるためのデータを表示パネル３１に出力すると、スペクトラム表示制御部４０ａに替えて、パターン認識処理部４０ｂを動作させ、所定のパターン認識ソフトを起動させる。パターン認識処理部４０ｂの動作は、図８に示す制御装置４０の動作フローのステップＳ１２に該当する。
【００９４】
変調システム選出部４０ｃは、ユーザのタッチ操作によって信号成分６１，６２のいずれかが選択されたことを条件として、選択された信号成分６１，６２の各処理パラメータを算出するとともに、算出した各処理パラメータに基づいて、地域情報データテーブル４４内に格納された地域情報（１）〜（５）の各データテーブルを検索するようになっている。この変調システム選出部４０ｃの動作は、図８に示す制御装置４０の動作フローのステップＳ１３〜Ｓ１５に該当する。
【００９５】
変調システム選出部４０ｃは、検索により地域情報（１）〜（５）の各データテーブルに対応する変調システムを推定し、可能性の高い順にいくつか（１つまたは複数もしくは０）の変調システムをリストアップする。
【００９６】
その際に、変調システム選出部４０ｃは、例えば図９または図１１に破線枠により示すように、ユーザのタッチ操作によっていずれの信号成分６１，６２が選択されたかを明示するようになっている。
【００９７】
変調システム選出部４０ｃによって、少なくとも１つの変調システムをリストアップできた場合には、制御装置４０は、変調システム選出部４０ｃに替えて、リスト表示制御部４０ｄを動作させる。
【００９８】
リスト表示制御部４０ｄは、変調システム選出部４０ｃによってリストアップされた変調システムと、選択された信号成分６１，６２に対する解析処理のための各処理パラメータと、を基にリスト７１，７２を作成するとともに、作成したリスト７１，７２を表示装置３０に出力することにより、例えば、信号表示部３１ａのグラフαと同一のレイヤー、または、グラフαよりも表面側のレイヤーに、リスト７１，７２を表示させる（図９または図１１参照）。
【００９９】
因みに、図９に示されたリスト７１は、変調システム選出部４０ｃによって信号成分６１の変調システムとしての可能性が高いと推定された、例えば４つの変調システムが選出された場合を例示している。この例では、ＬＴＥ−ＴＤＤ、ＬＴＥ−ＦＤＤ、ＩＥＥＥ８０２．１１ｎ、ＩＥＥＥ８０２．１１ａｃ（いずれも、２０ＭＨｚ）の４つの変調システムが、信号成分６１の変調システムとしての可能性が高い順に表示されている。
【０１００】
これに対し、図１１に示されたリスト７２は、変調システム選出部４０ｃによって信号成分６２の変調システムとしての可能性が高いと推定された、例えば１つの変調システム（ＷＣＤＭＡ（登録商標））が選出された場合を例示している。
【０１０１】
このリスト表示制御部４０ｄの動作は、図８に示す制御装置４０の動作フローのステップＳ１６，Ｓ１７に該当する。
【０１０２】
解析処理部４０ｅは、例えば変調システム選出部４０ｃによってリストアップされた変調システムに対応する解析ソフトを、可能性が高い順に選択して自動的にＲＯＭ４２から読み出し、所望の解析結果（シグナル・ノーマル）が得られるまで、リストアップされている全変調システムに対応する解析ソフトを順番に切り替えて、選択された信号成分６１，６２に対する所定の解析処理を繰り返し実行する。
【０１０３】
すなわち、解析処理部４０ｅは、ある解析ソフトによる解析処理を行った結果が「シグナル・アブノーマル」になる、つまり、その解析ソフトでは入力信号Ｓより選択された信号成分６１，６２を適切に解析処理することができないと判断した場合、候補として推定された次に可能性が高い解析ソフトをＲＯＭ４２から読み出し、選択された信号成分６１，６２に対する所定の解析処理を実行する。
【０１０４】
こうして、解析処理部４０ｅは、所望の解析結果が得られたと判断した時点（「シグナル・ノーマル」）で、その解析ソフトよりも可能性が低い変調システムに対応する解析ソフトによる解析処理を中止する。
【０１０５】
この解析処理部４０ｅの動作は、図８に示す制御装置４０の動作フローのステップＳ１８，Ｓ１９に該当する。
【０１０６】
なお、解析処理部４０ｅとしては、リストアップされている変調システムのうち、ユーザのタッチ操作により選択された変調システムに対応する解析ソフトをＲＯＭ４２から強制的に読み出し、選択された信号成分６１，６２に対する所定の解析処理を実行するようにしてもよい。
【０１０７】
一方、変調システム選出部４０ｃによって変調システムを１つもリストアップできなかった場合、リスト表示制御部４０ｄは、リスト７１，７２において、「Identify」のみを表示させる。
【０１０８】
この「Identify」の表示が、ユーザのタッチ操作によって選択された場合、解析処理部４０ｅは、ＲＯＭ４２に格納されている全変調システムに対応する各解析ソフトを順に読み出し、例えば所望の解析結果（シグナル・ノーマル）が得られるまで、各解析ソフトを順番に切り替えて、選択された信号成分６１，６２に対する所定の解析処理を繰り返し実行する。
【０１０９】
こうして、解析処理部４０ｅは、所望の解析結果が得られたと判断した時点で、解析ソフトを特定し、その他の変調システムに対応する解析ソフトによる解析処理を中止する。
【０１１０】
この解析処理部４０ｅの動作は、図８に示す制御装置４０の動作フローのステップＳ２１，Ｓ２２に該当する。
【０１１１】
なお、繰り返し実行される解析処理の途中で所望の解析結果が得られたか否かに関わらず、全ての解析ソフトによる処理を一通り実行した後（総当たり後）に、解析ソフトを特定するようにしてもよい。
【０１１２】
または、「Identify」などの表示に対するユーザのタッチ操作に伴って、ＲＯＭ４２に格納されている全ての解析ソフトを一覧にして表示させるとともに、ユーザにより選択された解析ソフトによる解析処理を実行するようにしてもよい。
【０１１３】
解析処理部４０ｅにおいて、選択された信号成分６１，６２に対する特定の解析ソフトによる所定の解析処理によって所望の解析結果が取得できた場合（シグナル・ノーマル時）には、制御装置４０は、解析処理部４０ｅに替えて、処理結果表示制御部４０ｆを動作させる。
【０１１４】
処理結果表示制御部４０ｆは、解析処理部４０ｅでの所定の解析処理により取得した解析結果８１，８２を、信号表示部３１ａに表示させる制御を行うようになっている（例えば、図１０または図１２参照）。
【０１１５】
この処理結果表示制御部４０ｆの動作は、図８に示す制御装置４０の動作フローのステップＳ２０に該当する。
【０１１６】
なお、処理結果表示制御部４０ｆは、例えば、所望の解析結果を取得できなかった場合に、信号表示部３１ａに「シグナル・アブノーマル」のエラー・メッセージを表示させる制御を行うようになっている。
【０１１７】
以下では、図８に示すフローチャートを中心に、制御装置４０の動作について説明する。
【０１１８】
図８に示すように、信号解析装置１０が起動され、操作部５０から入力信号Ｓについての測定の指示がユーザにより入力されると、制御装置４０は、ＲＯＭ４２からプログラムを読み込んで、スペクトラム表示制御部４０ａ、パターン認識処理部４０ｂ、変調システム選出部４０ｃ、リスト表示制御部４０ｄ、解析処理部４０ｅ、および、処理結果表示制御部４０ｆの、６つの機能ブロックを設け、まずは、スペクトラム表示制御部４０ａを動作させる。
【０１１９】
スペクトラム表示制御部４０ａは、所定のアナライズソフトによって入力信号Ｓをスペクトラム表示する、つまり、ＲＯＭ４２からアナライズソフトを読み出すとともに、入力信号Ｓに対し、アナライズソフトに基づいて所望の周波数スペクトラム波形となるアナライズ処理を行い、表示装置３０に制御装置４０から出力されるデータを入力して、表示パネル３１における信号表示部３１ａに周波数スペクトラム波形のグラフを表示させる（ステップＳ１１）。
【０１２０】
この場合、アナライズソフトの設定に基づいて、各構成要素、例えばＩＦ増幅器１６の利得の調整や掃引部２１からの掃引ランプ信号における掃引時間の制御などが行われるようになっており、信号表示部３１ａには、これらの調整や制御を反映した周波数スペクトラム波形のグラフが表示される。
【０１２１】
次いで、制御装置４０は、パターン認識処理部４０ｂを動作させる。パターン認識処理部４０ｂは、グラフとして表示された周波数スペクトラム波形に対して所定のパターン認識処理を行う、つまり、ＲＯＭ４２から所定のパターン認識ソフトを読み込むとともに、しきい値メモリ４３からしきい値データを読み出し、周波数スペクトラム波形に対し、しきい値データを用いたパターン認識処理を行い、表示装置３０に制御装置４０から出力されるデータを入力して、図２に示したように、表示パネル３１における信号表示部３１ａにグラフαを表示させる（ステップＳ１２）。
【０１２２】
このパターン認識処理において、パターン認識処理部４０ｂは、しきい値データ以上の電力分布を信号成分６１，６２として抽出し、それ以外をノイズ成分６３とするグラフαを、信号表示部３１ａに表示させる。
【０１２３】
この状態において、ユーザのタッチ操作によって信号成分６１，６２のいずれかが選択されたことに伴う位置情報がタッチパネル３２より入力されたことを条件として、制御装置４０は、変調システム選出部４０ｃを動作させる（ステップＳ１３）。
【０１２４】
変調システム選出部４０ｃは、選択された信号成分６１，６２の中心周波数、信号帯域幅、入力電力値などを処理パラメータとして算出するとともに、算出した各処理パラメータに基づいて、地域情報データテーブル４４内に格納された地域情報（１）〜（５）の各データテーブルを検索し（ステップＳ１４）、候補となる変調システムを可能性が高い順にリストアップする（ステップＳ１５）。
【０１２５】
その際に、変調システム選出部４０ｃは、例えば、信号成分６１が選択された場合には、図９に示したように、信号成分６１の周囲を破線枠によって囲むことにより、信号成分６１が選択されたことを明確にする。また、信号成分６２が選択された場合には、図１１に示したように、信号成分６２の周囲を破線枠によって囲むことにより、信号成分６２が選択されたことを明確にする。
【０１２６】
次いで、制御装置４０は、変調システム選出部４０ｃによって、少なくとも１つの変調システムをリストアップできたことを条件に、リスト表示制御部４０ｄを動作させる（ステップＳ１６）。
【０１２７】
リスト表示制御部４０ｄは、変調システム選出部４０ｃによってリストアップされた変調システムと、選択された信号成分６１，６２の各処理パラメータと、に基づいてリスト７１，７２を作成するとともに、作成したリスト７１，７２を表示装置３０に出力することにより、図９または図１１に示したように、信号表示部３１ａにグラフαとともにリスト７１，７２を表示させる（ステップＳ１７）。
【０１２８】
この場合、リスト７１，７２は、例えば、信号表示部３１ａのグラフαと同一のレイヤー、または、グラフαよりも表面側のレイヤーに、グラフαと重ならないように表示される。
【０１２９】
次いで、制御装置４０は、解析処理部４０ｅを動作させる。解析処理部４０ｅは、例えば、変調システム選出部４０ｃによって少なくとも１つの変調システムがリストアップされたことを条件に、選出された変調システムに対応する解析ソフトを、可能性が高い順に自動的に選択してＲＯＭ４２から読み出し、所望の解析結果（シグナル・ノーマル）が得られるまで、リストアップされている全変調システムに対応する解析ソフトを順番に切り替えて、選択された信号成分６１，６２に対する所定の解析処理を繰り返し実行する（ステップＳ１８，Ｓ１９）。
【０１３０】
制御装置４０は、所望の解析結果（シグナル・ノーマル）が得られたこと、もしくは、リストアップされている全変調システムに対応する各解析ソフトによる所定の解析処理を繰り返し実行し終えたことを条件に、解析処理部４０ｅに替えて、処理結果表示制御部４０ｆを動作させる。
【０１３１】
処理結果表示制御部４０ｆは、例えば図１０または図１２に示したように、解析処理部４０ｅでの所定の解析処理により取得した解析結果８１，８２を、信号表示部３１ａに表示させる（ステップＳ２０）。
【０１３２】
ここで、図９および図１０は、信号成分６１が選択された場合を例に示すものであり、図１１および図１２は、信号成分６２が選択された場合を例に示すものであり、以下に、制御装置４０の動作について、より具体的に説明する。
【０１３３】
まず、信号成分６１が選択された場合について説明する。
【０１３４】
図９に示すように、ステップＳ１７において、例えば、信号成分６１の中心周波数（Center Freq. ）を「８００．０００ＭＨｚ」、信号帯域幅（Band width）を「２０．００ＭＨｚ」、入力電力値（PowerまたはInput Level）を「−４０．０３ｄＢｍ」とする処理パラメータが、リスト表示制御部４０ｄの動作により、信号表示部３１ａにリスト７１として表示される。
【０１３５】
また、リスト７１には、変調システム選出部４０ｃの動作によって、地域情報（１）〜（５）の各データテーブルを検索したことによって推定され、そして選出された変調システム（Signal Analyze）として、例えば「ＬＴＥ−ＴＤＤ、ＬＴＥ−ＦＤＤ、ＩＥＥＥ８０２．１１ｎ、ＩＥＥＥ８０２．１１ａｃ（いずれも、２０ＭＨｚ）」が、変調システムとしての可能性が高い順に表示される。
【０１３６】
この例の場合、ステップＳ１８，Ｓ１９において、解析処理部４０ｅの動作によって、選出された変調システムに対応する解析ソフトが、可能性が高い順に自動的に選択されてＲＯＭ４２から読み出され、所望の解析結果（シグナル・ノーマル）が得られるまで、選択された信号成分６１に対する所定の解析処理が繰り返し実行される。
【０１３７】
また、この解析処理時には、算出された中心周波数（「８００．０００ＭＨｚ」）、信号帯域幅（「２０．０１ＭＨｚ」）、入力電力値（「−４０．０３ｄＢｍ」）などの処理パラメータが自動的に設定されることにより、パラメータを手動により設定する場合の負荷や誤入力が解消される。
【０１３８】
図１０に示すように、ステップＳ２０において、ある解析ソフトによる所定の解析処理により、所望の解析結果（シグナル・ノーマル）が得られたことを条件（ステップＳ１９におけるＮＯ）として、例えば、信号成分６１の中心周波数（「８００．０００ＭＨｚ」）、信号帯域幅（「２０ＭＨｚ」）、入力電力値（「−４０．００ｄＢｍ」）、および、変調システム（Standard）を「ＩＥＥＥ８０２．１１ｎ」とする解析結果８１が、処理結果表示制御部４０ｆの動作により、信号表示部３１ａに表示される。
【０１３９】
なお、ステップＳ１８，Ｓ１９において、解析処理部４０ｅの動作によって、選出された全変調システムに対応する各解析ソフトにより信号成分６１に対する所定の解析処理が繰り返し実行されたにもかかわらず、所望の解析結果（シグナル・ノーマル）が得られない場合（ステップＳ１９におけるＹＥＳ）、ステップＳ２０において、例えば、処理結果表示制御部４０ｆの動作により、信号表示部３１ａに「シグナル・アブノーマル」が表示される。
【０１４０】
この「シグナル・アブノーマル」が表示された場合においては、例えばリスト７１における「Identify」などの表示のタッチ操作に伴って、ＲＯＭ４２に格納されている解析ソフトの全リストを信号表示部３１ａに表示させることにより、信号成分６１に対する所定の解析処理を継続させることができる。
【０１４１】
次に、信号成分６２が選択された場合について説明する。
【０１４２】
図１１に示すように、ステップＳ１７において、例えば、信号成分６２の中心周波数を「７６０．０００ＭＨｚ」、信号帯域幅を「３．８４ＭＨｚ」、入力電力値を「−６０．０３ｄＢｍ」とする処理パラメータが、リスト表示制御部４０ｄの動作により、信号表示部３１ａにリスト７２として表示される。
【０１４３】
また、リスト７２には、変調システム選出部４０ｃの動作によって、地域情報（１）〜（５）の各データテーブルを検索したことによって推定され、そして選出された変調システムとして、例えば「ＷＣＤＭＡ（登録商標）」のみが表示される。
【０１４４】
この例の場合、ステップＳ１８，Ｓ１９において、解析処理部４０ｅの動作によって、選出された変調システムに対応する解析ソフトが自動的に選択されてＲＯＭ４２から読み出され、選択された信号成分６２に対する所定の解析処理が実行される。
【０１４５】
また、この解析処理時には、算出された中心周波数（「７６０．０００ＭＨｚ」）、信号帯域幅（「３．８４ＭＨｚ」）、入力電力値（「−６０．０３ｄＢｍ」）などの処理パラメータが自動的に設定されることにより、パラメータを手動により設定する場合の負荷や誤入力が解消される。
【０１４６】
図１２に示すように、ステップＳ２０において、上記の解析ソフトによる所定の解析処理により、所望の解析結果（シグナル・ノーマル）が得られたことを条件（ステップＳ１９におけるＮＯ）として、例えば、信号成分６２の中心周波数（「７６０．０００ＭＨｚ」）、信号帯域幅（「３．８４ＭＨｚ」）、入力電力値（「−６０．０３ｄＢｍ」）、および、変調システムを「ＷＣＤＭＡ（登録商標）」とする解析結果８２が、処理結果表示制御部４０ｆの動作により、信号表示部３１ａに表示される。
【０１４７】
なお、ステップＳ１８，Ｓ１９において、解析処理部４０ｅの動作によって、選出された変調システムに対応する解析ソフトにより信号成分６２に対する所定の解析処理が実行されたにもかかわらず、所望の解析結果（シグナル・ノーマル）が得られない場合（ステップＳ１９におけるＹＥＳ）、ステップＳ２０において、例えば、処理結果表示制御部４０ｆの動作により、信号表示部３１ａに「シグナル・アブノーマル」が表示される。
【０１４８】
この「シグナル・アブノーマル」が表示された場合においては、例えばリスト７２における「Identify」などの表示をタッチ操作して、ＲＯＭ４２に格納されている解析ソフトの全リストを信号表示部３１ａに表示させることによって、信号成分６２に対する所定の解析処理を継続させることができる。
【０１４９】
同様に、図８のステップＳ１５での処理により、変調システム選出部４０ｃの動作によって変調システムを１つもリストアップできなかった場合（ステップＳ１６でのＮＯ）、例えば、ステップＳ２１，Ｓ２２において、リスト７１，７２における「Identify」などの表示が、ユーザのタッチ操作によって選択されたことを条件に、リスト表示制御部４０ｄの動作により、ＲＯＭ４２に格納されている解析ソフトの全リストが信号表示部３１ａに表示されるとともに、解析処理部４０ｅの動作によって、所望の解析結果（シグナル・ノーマル）が得られるまで、表示されている全変調システムに対応する各解析ソフトが自動的に切り替えられて、選択された信号成分６１，６２に対する所定の解析処理が繰り返し実行される。
【０１５０】
こうして、解析処理部４０ｅの動作によって、所望の解析結果（シグナル・ノーマル）が得られたことを条件（ステップＳ２２でのＹＥＳ）に、例えば、ステップＳ２０において、その解析結果が、処理結果表示制御部４０ｆの動作により、信号表示部３１ａに表示される。
【０１５１】
以上のようにして、信号解析装置１０は、被測定物における、例えば、入力信号Ｓの劣化の割合や規格値とのマッチングの程度などを測定する。
【０１５２】
上記したように、本実施の形態における信号解析装置１０は、入力信号Ｓに対する解析処理を行うための解析ソフトを、測定の対象となる信号成分６１，６２が選択されることに応じて自動的に特定できるようにしているので、信号成分の変調システムに対応する解析ソフトとして当該解析処理に最適な解析ソフトをより確実に選択できるようになる。
【０１５３】
すなわち、選択された信号成分６１，６２の、少なくとも中心周波数、信号帯域幅、および、中心周波数と信号帯域幅とから特定される被測定物の使用地域に基づいた地域情報にしたがって、地域情報データテーブル４４を検索することにより、選択された信号成分６１，６２の変調システムを推定し、変調システムとしての可能性が高い順にいくつかの変調システムを選出して、そのリストを表示装置３０の表示パネル３１における信号表示部３１ａに表示させるとともに、リストアップされた変調システムに対応する解析ソフトを変調システムとしての可能性が高い順に自動的に起動させるようにしている。
【０１５４】
これにより、ユーザの経験値などによらず、常に入力信号Ｓの変調システムに対応した解析ソフトによる解析処理を実現することが可能となる。したがって、入力信号Ｓを解析するための解析ソフトを変調システムに応じて自動的に決定することができ、ユーザによらず、常に所望の解析結果を得ることが可能となるものである。
【０１５５】
また、本実施の形態における信号解析装置１０は、パターン認識処理部４０ｂにおいて、しきい値メモリ４３に記憶されたしきい値データを用いて所定のパターン認識処理を行い、グラフαにおけるしきい値データ以上の電力分布を信号成分６１，６２として、しきい値データ以下の電力分布をノイズ成分６３として、それぞれ抽出するようにしているので、信号成分６１，６２を容易に選択することができる。
【０１５６】
また、本実施の形態における信号解析装置１０は、リスト表示制御部４０ｄにおいて、複数の変調システムを選出した場合には選出した複数の変調システムを入力信号Ｓの変調システムである可能性が高いものから順にリスト表示するようにしているので、変調システムに適した解析ソフトによる解析処理を即座に実施することが可能になる。
【０１５７】
また、本実施の形態における信号解析装置１０は、変調システム選出部４０ｃが１つの変調システムも選出できなかった場合、解析処理部４０ｅにおいて、ＲＯＭ４２に格納されている複数の解析ソフトを自動的に切り替えながら、入力信号Ｓに対する所定の解析処理を繰り返すようにしているため、変調システムを選出できない場合にも、最終的には、入力信号Ｓの変調システムに対応した所定の解析ソフトにより所望の解析結果を得ることができる。
【０１５８】
また、本実施の形態における信号解析装置１０は、変調システム選出部４０ｃが１つの変調システムも選出できなかった場合、リスト表示制御部４０ｄによって、信号表示部３１ａに複数の変調システムの全リストを一覧表示させるとともに、解析処理部４０ｅにおいて、複数の変調システムの１つが選択されたことを条件にＲＯＭ４２から対応する解析ソフトを読み出し、入力信号Ｓに対して所定の解析処理を施すようにしているので、変調システムを特定できない場合にも、ユーザの選択に基づいて、最終的には、入力信号Ｓの変調システムに対応した所定の解析ソフトにより所望の解析結果を得ることが可能となる。
【０１５９】
また、本実施の形態における信号解析装置１０は、解析処理部４０ｅにおいて、解析処理のためのパラメータとして、入力信号Ｓの、少なくとも中心周波数、信号帯域幅、および、電力値を自動的に設定するようにしているので、パラメータを手動により設定する場合の負荷や誤入力を解消できる。
【０１６０】
また、本実施の形態における信号解析装置１０は、表示装置３０の表示パネル３１において、信号表示部３１ａに対応するようにして設けられた、タッチ操作に伴う位置情報を出力するタッチセンサ３２ａを有するタッチパネル３２を、さらに備えているので、信号成分６１，６２や変調システムを表示画面のタッチ操作によって選択することができ、ユーザの直感的な操作が可能となる。
【０１６１】
なお、上記した本実施の形態では、本発明に係る信号処理装置をスペクトラムアナライザなどの信号解析装置１０に適用した場合を例に説明したが、これに限らず、例えばスペクトラムアナライザ以外の汎用測定器にも同様に適用可能である。
【０１６２】
また、信号解析装置１０においては、制御装置４０に、ＡＴＴ１１の減衰量を設定する機能や、局部発振器１２の発振周波数を設定する機能などを備えるものであってもよい。
【０１６３】
その他、本発明は上記した実施の形態に限定されるものでなく、特許請求の範囲の技術的範囲には、発明の要旨を逸脱しない範囲内で種々、設計変更した形態が含まれる。
【０１６４】
以上により、本発明の信号処理装置および信号処理方法は、被測定信号を解析するための解析ソフトを変調システムに応じて自動的に決定することができ、所望の解析結果を得ることができるという効果を有し、スペクトラムアナライザなどの信号解析装置の全般に有用である。
【符号の説明】
【０１６５】
１０  信号解析装置（信号処理装置）
１０ａ  信号処理装置部(ＡＴＴ１１、局部発振器１２、周波数混合器１３、ＩＦフィルタ１５、ＩＦ増幅器１６、検波器１７、ビデオ・フィルタ１８など)
３１  表示パネル（表示手段）
３１ａ  信号表示部（表示画面）
３２  タッチパネル
３２ａ  タッチセンサ
４０  制御装置（制御手段）
４０ａ  スペクトラム表示制御部（グラフ表示制御手段）
４０ｂ  パターン認識処理部（分離処理手段）
４０ｃ  変調システム選出部（変調システム選出手段）
４０ｄ  リスト表示制御部（選出結果表示制御手段）
４０ｅ  解析処理部（解析処理手段）
４０ｆ  処理結果表示制御部（解析結果表示制御手段）
４２  ＲＯＭ（格納手段）
４３  しきい値メモリ
４４  地域情報データテーブル（データテーブル）
６１，６２  信号成分
６３  ノイズ成分
８１，８２  解析結果
Ｓ  入力信号（被測定信号）
α  グラフ
【図１】
2015049212.tif 000003
【図２】
2015049212.tif 000004
【図３】
2015049212.tif 000005
【図４】
2015049212.tif 000006
【図５】
2015049212.tif 000007
【図６】
2015049212.tif 000008
【図７】
2015049212.tif 000009
【図８】
2015049212.tif 000010
【図９】
2015049212.tif 000011
【図１０】
2015049212.tif 000012
【図１１】
2015049212.tif 000013
【図１２】
2015049212.tif 000014